(57)【特許請求の範囲】
【請求項１】
播種を行う種子よりも大きい開口性の連続した空隙を有する多孔質ブロックの空隙に土壌をブロック上端面まで充填した後、該ブロック上端から播種を行う種子の最適播種深さよりも深い位置までにある土壌を除去し、この除去部分の空隙に同じ土壌と種子からなる混合物をブロック上端面まで充填することを特徴とする多孔質ブロックへの播種方法。
【請求項２】
播種を行う種子よりも大きい開口性の連続した空隙を有する多孔質ブロックの空隙に土壌と保水性材料からなる混合物をブロック上端面まで充填した後、該ブロック上端から播種を行う種子の最適播種深さより深い位置までにある充填混合物を除去し、この除去部分の空隙に、同じ土壌と保水性材料からなる混合物に種子を混ぜたものをブロック上端面まで充填することを特徴とする多孔質ブロックへの播種方法。
【請求項３】
播種を行う種子よりも大きい開口性の連続した空隙を有する多孔質ブロックの空隙に土壌と肥料からなる混合物をブロック上端面まで充填した後、該ブロック上端から播種を行う種子の最適播種深さより深い位置までにある充填混合物を除去し、この除去部分に同じ土壌と肥料からなる混合物に種子を混ぜたものを充填することを特徴とする多孔質ブロックへの播種方法。
【請求項４】
播種を行う種子よりも大きい開口性の連続した空隙を有する多孔質ブロックの空隙に土壌と保水性材料と肥料からなる混合物をブロック上端面まで充填した後、該ブロック上端から播種を行う種子の最適播種深さよりも深い位置までにある充填混合物を除去し、除去部分の空隙に同じ土壌と保水性材料と肥料からなる混合物に種子を混ぜたものをブロック上端面まで充填することを特徴とする多孔質ブロックへの播種方法。
【請求項５】
種子が２種類以上の植物の種子を混合したものであることを特徴とする請求項１、２、３、４何れか記載の多孔質ブロックへの播種方法。
【請求項６】
充填物のブロック上端面からの除去する深さが、同時播種する複数の植物種子の個々の植物毎の最適播種深さのうち、最も深い最適播種深さの植物種子の播種深さよりも深い位置までにある充填物を除去することを特徴とする請求項１、２、３、４何れか記載の多孔質ブロックへの播種方法。
【請求項７】
充填方法として多孔質ブロックに常時振動を与えながら充填物をブロック上部より断続的に加えることを特徴とする請求項１、２、３、４何れか記載の多孔質ブロックへの播種方法。
【請求項８】
多孔質ブロック内充填物を吸引機に取り付けられたホ−ス口を多孔質ブロック上部面にあて、吸引によりブロック上部より除去することを特徴とする請求項１、２、３、４、６何れか記載の多孔質ブロックへの播種方法。
【発明の詳細な説明】
【０００１】
【産業上の利用分野】
本発明は開口気孔を有する多孔質ブロックへの播種方法に関する。
【０００２】
【従来の技術】
従来、多孔質コンクリ−トブロック等の開口性の連続した空隙を有する多孔質ブロックに播種する方法としては、多孔質ブロックの空隙に土壌もしくは、必要に応じ土壌、保水性材料、肥料等を混合した物を充填した後、該ブロック充填物の上層部分を吸引等により一定深さまで除去してから、除去後の充填物残部上面に種子を播種し、その上に再度該土壌混合物で覆土する方法が行われている。即ち、従来の多孔質ブロックへの播種方法は、（１）多孔質ブロックへの土壌等の充填、（２）充填物の除去、（３）除去後残部面への播種、（４）その上への覆土という４工程で行われ、種子は実質的に同じ深さの位置に播種されている。
１個の多孔質ブロックへ種子を異なる深さに播種する場合は、例えば２つの深さに播種するには前記工程の（４）迄を経て、（５）覆土表面への播種、（６）更にその上への覆土、という工程が加わり、３つ以上の深さに播種するにはこの（５）（６）工程を深さの種類数に応じて繰り返し増加する必要があった。
【発明が解決しようとする課題】
【０００３】
植物種子の発芽に関して、播種された種子が土壌中にある場合、種子が位置する地表面からの深さによってその種子の発芽状況が大きく異なる。例えば、チュ−イングフェスク（品種名）という芝では、播種深さが１０ｍｍ程度に達すると播種深さ３ｍｍの場合と比べて発芽率が半分以下にまで低下する。
このように、播種深さがその種子の発芽に適した播種位置でなかった場合、大幅な発芽率の低下を生じる。
【０００４】
一方、種子の最適播種深さが知られたものでも、播種時に深さを厳密に調整することは、播種面の増大と伴に作業上非常に困難となり、均一に播種することも容易では無くなる。
特に、播種深さが異なる数種類の植物種子を混播した場合には、種別毎に播種深さを決め播種する必要性も生じ前述の如く作業工程が増加して大変な手間を要する。
【０００５】
さらに種子が発芽しても播種面より下部と後からその上に盛り土した面との境界面では、その根が下方ではなく境界面に沿って横方向に伸びる傾向が見られ、その後の生育が十分進まないという問題点があった。
【０００６】
本発明は、このような播種上の問題点を根本的に改善し、同時に従来行われていた播種工程そのものも簡略化することを目的とした多孔質ブロックへの播種方法を示したものである。
【０００７】
【課題を解決するための手段】
この発明は上記課題に鑑みてなされたものであって、その解決手段としては播種工程が（１）多孔質ブロックへの土壌等の充填、（２）充填物の除去、（３）除去後の残部への種子を含む混合物の充填、の３工程から成る播種方法を用いることにより解決できることがわかった。以下その手法を詳細に述べる。
【０００８】
播種する種子よりも大きい開口性の連続した空隙を有する多孔質ブロックの上部面の空隙口から土壌を空隙全体にブロック上端面まで均一かつ十分充填する。多孔質ブロックの一例としては、高空隙率の多孔質コンクリ−トブロックを挙げることができる。
ここで用いる土壌は、例えば黒土や鹿沼土、赤玉土等の一般に植物の生育に活用されているものであれば良い。
【０００９】
このように土壌が空隙内に十分充填された後、該ブロック上端から事前に調べた用いる種子の最適播種深さよりも深い位置迄に存在するブロック内充填物をブロック上部から除去する。除去された後の、残部充填物表面は厳密かつ均一な深さに位置する基準面である必要は無く、例えば多少の凹凸等が存っても良い。
又、該ブロック上部の充填物の除去する深さは、用いる種子の最適播種深さよりも深い位置であれば何れでもよいが、一般的な目安としては、最適播種深さよりも、およそ２〜３ミリ程度深い位置迄にするのが作業効率、経済性、及び発芽状況から見て、比較的適した位置である。
【００１０】
次いで、同じ土壌に種子を混ぜた土壌と種子からなる混合物を作製し、先に多孔質ブロック内の充填物を除去した部分の空隙に、この混合物を新たな充填物としてブロック上端面まで充填させることにより播種を行う。
【００１１】
また本発明は、保水性材料を土壌に混合したものを充填物として用い、播種する種子よりも大きい開口性の連続した空隙を有する多孔質ブロックの空隙にブロック上端まで充填した後、該ブロック上端から用いる種子の最適播種深さよりも深い位置迄にあるブロック内充填物をブロック上部から除去し、このブロック内除去部分の空隙に、土壌と該保水性材料に種子を加え混合したものを新たな充填物としてブロック上端面まで充填することによって播種を行う方法である。
尚、保水性材料としては、通常活用されている保水性材料なら何れでも良く、一例として市販の岩石焼成材を用いることができる。
保水性材料の土壌に対する配合料は用いる土壌、対象とする種子、播種箇所の自然環境等により異なるが、多くの場合、目安の一例としては、土壌対する容積比にして１：１を越えない範囲で配合することで概ね対応できる。
【００１２】
また本発明は、用いる土壌の成分を分析後、必要とされる栄養素の不足があった場合、不足される栄養素が含まれる肥料を土壌に混合したものを充填物として播種する種子よりも大きい開口性の連続した空隙を有する多孔質ブロックの空隙にブロック上端まで充填した後、該ブロック上端から用いる種子の最適播種深さよりも深い位置迄にあるブロック内充填物をブロック上部から除去し、このブロック内除去部分の空隙に、土壌と該肥料に種子を加え混合したものを新たな充填物としてブロック上端面まで充填することによって播種を行う方法である。
尚、肥料としては、市販の植物用肥料を用いることができ、例えば、土壌の分析結果から燐酸が不足していると判明した場合、苦土重焼燐（小野田化学（株）社製）等を肥料として使用する。
【００１３】
また本発明は、用いる土壌の成分を分析後、必要とされる栄養素の不足があった場合、不足される栄養素が含まれる肥料と保水性材料の両者を土壌に混合したものを充填物として播種する種子よりも大きい開口性の連続した空隙を有する多孔質ブロックの空隙にブロック上端まで充填した後、該ブロック上端から用いる種子の最適播種深さよりも深い位置迄のブロック内充填物をブロック上部から除去し、このブロック内除去部分の空隙に、土壌と該肥料及び該保水性材料に種子を加えた混合物を新たな充填物としてブロック上端面まで充填することによって播種を行う方法である。
【００１４】
この発明は、播種する種子が複数の植物品種からなる混合した種子で行う、即ち複数の植物品種の種子を同時播種する場合も対応できる。
【００１５】
複数の植物品種からなる種子を同時播種する場合は、それらの種子よりも大きい開口性の連続した空隙を有する多孔質ブロック中に充填した土壌または土壌と保水性材料、または土壌と肥料、或いは土壌と肥料と保水性材料からなる充填物のブロック上端からの除去する深さは、個々の植物毎に事前に調べて得た種子の最適播種深さのうち、最も最適播種深さが深いものの深さよりも深い位置迄の充填物を除去する。次いで各充填物と同じ土壌または各混合物に、これらの混合種子の各最適播種量の合計量を十分混ぜたものを充填物として該除去部分の空隙に十分充填させる。
【００１６】
充填は充填率を高め、均一充填をはかり、かつ過不足の無い充填とする為に多孔質ブロックに鉛直振動を常時与えながら充填物を定量毎にブロック上部に断続的に投入するのがよい。この振動は、例えば電動式の振動テーブル上に多孔質ブロックを載せることで容易に対応できる。
【００１７】
多孔質ブロック内の充填物の除去は、ブロック上部の充填物を除去する為、吸引機に接続した吸引ホース口をブロック上部表面に当てる吸引操作によって除去する。吸引機の例としては集塵機の類を用いることができる。除去部分の深さ調整は吸引力の強弱調整とホ−ス口をブロック面にあてる時間等を調整することによって対応することができる。
【００１８】
【作用】
この発明によれば、厳密に播種深さの調整を行わなくとも、又、数種類の種子を混合した場合でも種別毎に播種する必要が無く、それぞれに適した播種深さに位置する種子が存在する可能性がある為、確実に発芽が見られる。
播種した種子上の土壌は単なる盛土・覆土ではなく、種子下の土壌と殆ど同じ充填度であり、かつ成分的にも変化がない為、本質的には土壌中に断層面の類が存在せず、その植物本来の根の伸長が可能である。
【００１９】
本発明に於いて充填物に混合させた保水性材料は、種子の発芽、生育に不可欠な水分を保ち、播種後の定期的散水を低減若しくは不要とさせることができる。
【００２０】
又、本発明に於いて充填物に混合させた肥料は、発芽後の植物生育にとって必要な栄養素の不足を補うことができる。
【００２１】
又、本発明に於いて充填物に同時混合させた保水性材料と肥料は種子の発芽、生育に不可欠な水分を保ち、播種後の定期的散水を低減若しくは不要とさせ、かつ発芽後の植物生育にとって必要な栄養素の不足を補うことができる。
【００２２】
このように、播種環境、植物種、播種後の管理体制に応じて必要な水分、栄養分等を事前に確保できる土壌混合物を用いることができる為、発芽後も良好な成長が期待できる。
【００２３】
【実施例】
以下、この発明を実施例及び従来技術に基く比較例とを対比させることによって詳細に説明する。
［実施例１］  空隙率３４％の多孔質コンクリートブロック（縦４００×横４００×厚さ８０ｍｍ）の空隙内に、土壌として含水量３％、粒径６００μｍに調整した黒土を周波数８７．５Ｈｚ、振動加速度レベル１２０ｄＢの鉛直振動を振動テ−ブルによって与えながら、単位容積重量が０．５ｋｇ／ｌになるよう充填した。次いでブロック上端より充填物を概ね１０ｍｍの深さまで集塵機により吸引除去し、同じ土壌と芝の１品種である「チュ−イングフェスクジェ−ムスタウン」（以下、ジェ−ムスタウンと称す）の種子を標準播種量混合したものを新たな充填物として、多孔質コンクリートブロック内の該除去部分に同様に鉛直振動を与えながらできるだけ同じ充填密度となるようにブロック上端まで充填した。
尚、ジェ−ムスタウンの最適播種深さは約８．０ミリである。
【００２４】
［比較例１］  実施例１と同様に多孔質コンクリートブロックに土壌を充填した後、ブロック上端より概ね１０ｍｍの深さまでの充填物を吸引除去する。次いでジェ−ムスタウンの種子のみを実施例１と同じ播種量でブロック内残存充填物表面上に均一に播種し、その上に土壌のみをブロック上端まで充填した。
【００２５】
［実施例２］  空隙率３４％の多孔質コンクリートブロック（縦４００×横４００×厚さ８０ｍｍ）の空隙内に、土壌として含水量３％、粒径６００μｍに調整した黒土及び保水性材料としてパーライト加工用１号（三井金属（株）社製）とを容積比にして１：１の割合で混合したものを、周波数８７．５Ｈｚ、振動加速度レベル１２０ｄＢの鉛直振動を振動テ−ブルによって与えながら、単位容積重量が０．５ｋｇ／ｌになるよう充填した。次いでブロック上端より充填物を概ね１０ｍｍの深さまで集塵機により吸引除去した後、土壌と保水性材料からなる上記混合物にジェ−ムスタウンの種子を標準播種量混合したものを新たな充填物として多孔質コンクリートブロック内の該除去部分に同様に鉛直振動を与えながら、できるだけ同じ充填密度となるようにブロック上端まで充填した。
【００２６】
［比較例２］  実施例２と同様に多孔質コンクリートブロックに土壌と保水性材料の混合物を充填した後、ブロック上端より概ね１０ｍｍの深さまでの充填物を吸引除去する。次いでジェ−ムスタウンの種子のみを実施例２と同じ播種量でブロック内残存充填物表面上に均一に播種し、その上に上記の土壌と保水性材料の混合物をブロック上端まで充填した。
【００２７】
［実施例３］  空隙率３４％の多孔質コンクリートブロック（縦４００×横４００×厚さ８０ｍｍ）の空隙内に、土壌として含水量３％、粒径６００μｍに調整した黒土及び肥料として苦土重焼燐（小野田化学（株）社製）を容積比にして１：０．０２５の割合で混合したものを、周波数８７．５Ｈｚ、振動加速度レベル１２０ｄＢの鉛直振動を振動テ−ブルによって与えながら、単位容積重量が、０．５ｋｇ／ｌになるよう充填した。次いでブロック上端より充填物を概ね１０ｍｍの深さまで集塵機により吸引除去した後、土壌と肥料からなる上記混合物にジェ−ムスタウンの種子を標準播種量混合したものを新たな充填物として多孔質コンクリートブロック内の該除去部分に同様に鉛直振動を与えながら、できるだけ同じ充填密度となるようにブロック上端まで充填した。
【００２８】
［比較例３］  実施例３と同様に多孔質コンクリートブロックに土壌と肥料の混合物を充填した後、ブロック上端より概ね１０ｍｍの深さまでの充填物を吸引除去する。次いでジェ−ムスタウンの種子のみを実施例３と同じ播種量でブロック内残存充填物表面上に均一に播種し、その上に上記の土壌と肥料から成る混合物をブロック上端まで充填した。
【００２９】
［実施例４］  空隙率３４％の多孔質コンクリートブロック（縦４００×横４００×厚さ８０ｍｍ）の空隙内に、土壌として含水量３％、粒径６００μｍに調整した黒土と保水性材料としてパーライト加工用１号（三井金属（株）社製）及び肥料として苦土重焼燐（小野田化学（株）社製）及び保水性材料としてパーライト加工用１号（三井金属（株）社製）を容積比にして１：０．０２５：１の割合で混合したものを、周波数８７．５Ｈｚ、振動加速度レベル１２０ｄＢの鉛直振動を振動テ−ブルによって与えながら、単位容積重量が０．５ｋｇ／ｌになるよう充填した。次いでブロック上端より充填物を概ね１０ｍｍの深さまで集塵機により吸引除去した後、土壌と保水性材料及び肥料からなる上記混合物にジェ−ムスタウンの種子を標準播種量混合したものを新たな充填物として多孔質コンクリートブロック内の該除去部分に同様に鉛直振動を与えながら、できるだけ同じ充填密度となるようにブロック上端まで充填した。
【００３０】
［比較例４］  実施例４と同様に多孔質コンクリートブロックに土壌と保水性材料及び肥料の混合物を充填した後、ブロック上端より概ね１０ｍｍの深さまでの充填物を吸引除去する。次いでジェ−ムスタウンの種子のみを実施例４と同じ播種量でブロック内残存充填物表面上に均一に播種し、その上に上記の土壌と保水性材料及び肥料から成る混合物をブロック上端まで充填した。
【００３１】
［実施例５］  空隙率３４％の多孔質コンクリートブロック（縦４００×横４００×厚さ８０ｍｍ）の空隙内に、土壌として含水量３％、粒径６００μｍに調整した黒土と保水性材料としてパーライト加工用１号（三井金属（株）社製）及び肥料として苦土重焼燐（小野田化学（株）社製）を容積比にして１：１：０．０２５の割合で混合したものを、周波数８７．５Ｈｚ、振動加速度レベル１２０ｄＢの鉛直振動を振動テ−ブルによって与えながら、単位容積重量が０．５ｋｇ／ｌになるよう充填した。次いでブロック上端より充填物を概ね１０ｍｍの深さまで集塵機により吸引除去した後、土壌と保水性材料及び肥料からなる上記混合物にジェ−ムスタウン及びバミュ−ダグラスの２品種の芝の種子を１：０．６の割合で両者の標準播種量の合計値となるよう同時に加えて混合したものを新たな充填物として多孔質コンクリートブロック内の該除去部分に同様に鉛直振動を与えながら、できるだけ同じ充填密度となるようにブロック上端まで充填した。
【００３２】
［比較例５］  空隙率３４％の多孔質コンクリートブロック（縦４００×横４００×厚さ８０ｍｍ）の空隙内に、土壌として含水量３％、粒径６００μｍに調整した黒土と保水性材料としてパーライト加工用１号（三井金属（株）社製）及び肥料として苦土重焼燐（小野田化学（株）社製）及び保水性材料としてパーライト加工用１号（三井金属（株）社製）を容積比にして１：０．０２５：１の割合で混合したものを、周波数８７．５Ｈｚ、振動加速度レベル１２０ｄＢの鉛直振動を振動テ−ブルによって与えながら、単位容積重量が０．５ｋｇ／ｌになるよう充填した。次いでブロック上端より充填物を概ね１０ｍｍの深さまで集塵機により吸引除去した後、次いでジェ−ムスタウン及びバミュ−ダグラスの２品種の芝の種子を１：０．６の割合で両者の標準播種量の合計値となるようブロック内残存充填物表面上に同時に均一播種し、その上に上記の土壌と保水性材料及び肥料から成る混合物をブロック上端まで充填した。
【００３３】
本発明による上記各実施例及び参考とした各比較例について、播種後の芝の成育状況を以下に記す方法で調べ、その結果を表１に示す。
播種後の全ての種子入りブロックは外光を遮断した室内に設置し、１日に付１２時間の連続光照射を行い、光照射中の室温は２６℃、照射時間外の室温は１６℃に保ち、１日１回適量の散水を施し、２８日後にその発芽率及び草丈の測定を行った。
【００３４】
【表１】
0003548614.tif 000002
【００３５】
表１の結果からこの発明による播種方法は優れた発芽率を示し、特に、発芽後も状況に応じて事前に保水材、肥料等を含ませたものを用いることで草丈の高い良好な成長が見られた。
【００３６】
【発明の効果】
本発明によって、播種工程の簡略化ができ、季節的な要因により限られた期間内に行わなければならない播種作業の効率を高めて従来と同程度の作業量でより大量のブロックへの播種処理を行うことを可能にすると共に、この方法を用いた多孔質ブロックは複数の品種の種子を同時に播種した場合を含め、確実で安定した発芽率と良好な植物成長をもたらすことが出来る植生基盤として活用できる。